(57)【要約】【課題】従来の防煙垂れ壁では、部品点数が多く、製造コストの低減や施工性の向上を図るうえでの改善が要望されていた。【解決手段】建物躯体Ａに固定する長尺状の取付材１と、取付材１により一辺が保持される防煙シートＳを備え、取付材１は、建物躯体Ａに固定するベース材１１と、ベース材１１に固定する押え材１２を備え、防煙シートＳは、一辺に沿って所定間隔で形成した取付穴Ｈと、取付穴Ｈに貫通させた取付ピン１３を備え、ベース材１１は、取付ピン１３を嵌合するピン保持部１１Ｅを有し、押え材１２は、ピン保持部１１Ｅに嵌合した取付ピン１３の離脱を阻止するピン規制部１２Ｃを有している防煙垂れ壁とし、部品点数を大幅に削減して、製造コストの低減や施工性の向上を図る。【選択図】図１
2015051087.tif 000002
【特許請求の範囲】
【請求項１】
建物躯体に固定する長尺状の取付材と、
取付材により一辺が保持される防煙シートを備え、
取付材は、長手方向にわたって、建物躯体に固定するベース材と、ベース材に固定する押え材を備え、
防煙シートは、一辺に沿って所定間隔で形成した取付穴と、夫々の取付穴に貫通させた取付ピンを備え、
ベース材は、取付ピンを嵌合するピン保持部を有し、
押え材は、ピン保持部に嵌合した取付ピンの離脱を阻止するピン規制部を有していることを特徴とする防煙垂れ壁。
【請求項２】
建物躯体に固定して防煙シートの一辺を保持する長尺状の取付材であって、
その長手方向にわたって、建物躯体に固定するベース材と、ベース材に固定する押え材を備え、
ベース材は、防煙シートを貫通する取付ピンを嵌合するピン保持部を有し、
押え材は、ピン保持部に嵌合した取付ピンの離脱を阻止する規制部を有していることを特徴とする防煙垂れ壁の取付材。
【発明の詳細な説明】
【技術分野】
【０００１】
本発明は、建築物の天井に設けられる防煙垂れ壁及び防煙垂れ壁の取付材に関するものである。
【背景技術】
【０００２】
この種の防煙垂れ壁としては、特許文献１に記載されたものがある。特許文献１に記載の防煙垂れ壁は、天井に固定されるレール本体と、レール本体に固定するカバー部材と、下方に開口した中空状の外枠と、外枠の内部に嵌合する枠体と、外枠の上部に固定する取付部材と、防煙壁としての繊維強化シートを備えている。
【０００３】
上記の防煙垂れ壁は、天井にレール本体を固定し、その一方で、枠体に繊維強化シートの上端部を巻き付けて、その枠体を外枠の内部に嵌合し、さらに、外枠の上部に取付部材をねじ止めする。これにより、外枠は、枠体との間で繊維強化シートの上端部を挟んで固定し、その上部両側には、取付部材の両端部が突出している。その後、防煙垂れ壁は、レール本体にカバー部材を組み付ける。この際、防煙垂れ壁は、レール本体及びカバー部材の内側に取付部材の両端部を夫々係止させると共に、外枠を挟むようにしてレール本体にカバー部材をねじ止めする。このようにして、防煙垂れ壁は、天井から繊維強化シートを垂下させた状態に保持する。
【先行技術文献】
【特許文献】
【０００４】
【特許文献１】特許第４７１５７８０号公報
【発明の概要】
【発明が解決しようとする課題】
【０００５】
しかしながら、上記したような従来の防煙垂れ壁にあっては、レール本体、カバー部材、外枠、枠体、取付部材及び繊維強化シートを備えた構成であるため、部品点数が多く、製造コストの低減や施工性の向上を図るうえでの改善が要望されていた。
【０００６】
本発明は、上記従来の状況に鑑みて成されたもので、部品点数の削減を実現し、製造コストの低減及び施工性の向上を図ることができる防煙垂れ壁及び防煙垂れ壁の取付材を提供することを目的としている。
【課題を解決するための手段】
【０００７】
本発明に係わる防煙垂れ壁は、建物躯体に固定する長尺状の取付材と、取付材により一辺が保持される防煙シートを備え、取付材は、長手方向にわたって、建物躯体に固定するベース材と、ベース材に固定する押え材を備え、防煙シートは、一辺に沿って所定間隔で形成した取付穴と、夫々の取付穴に貫通させた取付ピンを備え、ベース材は、取付ピンを嵌合するピン保持部を有し、押え材は、ピン保持部に嵌合した取付ピンの離脱を阻止するピン規制部を有していることを特徴としている。なお、建物躯体は、具体的には天井や壁である。
【０００８】
本発明に係わる防煙垂れ壁の取付材は、建物躯体に固定して防煙シートの一辺を保持する長尺状の取付材であって、その長手方向にわたって、建物躯体に固定するベース材と、ベース材に固定する押え材を備え、ベース材は、防煙シートを貫通する取付ピンを嵌合するピン保持部を有し、押え材は、ピン保持部に嵌合した取付ピンの離脱を阻止する規制部を有していることを特徴としている。
【発明の効果】
【０００９】
本発明に係わる防煙垂れ壁及び防煙垂れ壁の取付材によれば、防煙シートを確実に保持する本来の機能を確保しつつ部品点数を大幅に削減することができ、製造コストの低減や施工性の向上を図ることができる。
【００１０】
また、防煙垂れ壁及び防煙垂れ壁の取付材は、建物躯体である天井にベース材を固定した後、ベース材のピン保持部に、防煙シートに貫通させた取付ピンを嵌合することで、防煙シートの仮止めをすることができ、施工性のさらなる向上を実現する。
【図面の簡単な説明】
【００１１】
【図１】本発明に係わる防煙垂れ壁の一実施形態を説明する正面図（Ａ）、図Ａ中のＡ−Ａ線に基づく断面図（Ｂ）、及び図Ａ中のＢ−Ｂ線に基づく断面図（Ｃ）である。
【図２】天井側取付材の組み付け過程を説明する各々断面図（Ａ）〜（Ｃ）である。
【図３】壁側取付材の組み付け過程を説明する断面図（Ａ）〜（Ｃ）である。
【図４】防煙シートの取付要領を説明する正面図である。
【図５】本発明に係わる防煙垂れ壁の他の実施形態における天井側取付材の組み付け過程を説明する各々断面図（Ａ）及び（Ｂ）である。である。
【発明を実施するための形態】
【００１２】
図１（Ａ）に示す防煙垂れ壁は、建物躯体Ａの天井及び壁に設けてあり、垂れ壁としての防煙シートＳと、防煙シートＳの上辺を保持する天井側取付材１と、防煙シートＳの両側の竪辺を保持する一対の壁側取付材２，２を備えている。防煙シートＳは、難燃性・不燃性を有する樹脂製シートであって、その材料が限定されるものではないが、視界を妨げないように透明である。
【００１３】
天井側取付材１は、所定の断面形状を連続的に有する長尺材であって、図１（Ｂ）及び図２に示すように、長手方向にわたって、建物躯体Ａの天井に固定するベース材１１と、ベース材１１に固定する押え材１２を備えている。ベース材１１及び押え材１２には、アルミニウム合金製の押し出し形材などを用いることができる。
【００１４】
ベース材１１は、その断面において、天井に相対向する水平な基板部１１Ａと、基板部１１Ａの一端から垂下して取付材１１の中心側に傾いた傾斜部１１Ｂと、傾斜部１１Ｂの中間において押え材１２側に突出する上下一対の突片１１Ｃ，１１Ｄを有している。両突片１１Ｃ，１１Ｄは、取付材１１の中心線近くの位置まで突出している。そして、ベース材１１は、一対の突片１１Ｃ，１１Ｄの間で、後述する取付ピン１３を嵌合する溝状のピン保持部１１Ｅを形成している。
【００１５】
押え材１２は、その断面において、取付材１１の中心線に対して、ベース材１１の傾斜部１１Ｂと対称的に配置される傾斜部１２Ａを有し、傾斜部１２Ａのベース材１１側の面において、上側から順に、延出部１２Ｂ、ピン規制部１２Ｃ、及び下側突片１２Ｄを有している。
【００１６】
延出部１２Ｂは、ベース材１１の上側の突片１１Ｃよりも上側に位置し、傾斜部１２Ａから水平に延出すると共に、その先端部が、ベース材１１との間で防煙シートＳの端部を挟持するシート挟持部１２Ｅになっている。さらに、シート挟持部１２Ｅの上側には、ベース材１１側に向けたタッピング溝１２Ｆと、上側に突出してベース材１１の基板部１１Ａに達する立上り片１２Ｇを連続的に有している。タッピング溝１２Ｆは、その中心線がベース材１１の傾斜部１１Ｂに対して垂直になるように、ベース材１１側に下り傾斜している。
【００１７】
ピン規制部１２Ｃは、ベース材１１の上下の突片１１Ｃ，１１Ｄの間に位置する突部であり、ピン保持部１１Ｅに嵌合した取付ピン１３の端部に対向して、取付ピン１３の離脱を阻止するものである。このピン規制部１２Ｃは、取付ピン１３の離脱を阻止し得るものであれば良いので、突部以外のものでも良い。
【００１８】
下側突片１２Ｄは、ベース材１１の下側の突片１１Ｄよりも下側に位置し、天井側取付材１の中心線近くの位置まで突出している。この下側突片１２Ｄは、天井側取付材１内において、防煙シートＳの押え材１２側への撓みを防止し、天井側取付材１から防煙シートＳを真っ直ぐに垂下させる機能がある。
【００１９】
壁側取付材２は、天井側取付材１と同様に、所定の断面形状を連続的に有する長尺材であって、図１（Ｃ）及び図３に示すように、長手方向にわたって、建物躯体Ａの壁に固定するベース材２１と、ベース材２１に固定する押え材２２を備えている。なお、図１（Ｃ）は、下側から見た状態の水平断面図であり、図３は上側から見た水平断面図である。このため、図１（Ｃ）と図３では、ベース材２１と押え材２２の位置が逆である。
【００２０】
ベース材２１は、その断面において、壁に相対向する基板部２１Ａと、基板部２１Ａの一端から延出して見付け面を形成する張出部２１Ｂと、張出部２１Ｂの中間において押え材２２側に突出する一対の突片２１Ｃ，２１Ｄと、張出部２１Ｂの先端から押え材２２側に突出する端部突片２１Ｆを有している。これらの突片２１Ｃ，２１Ｄ，２１Ｆは、取付材２１の中心線近くの位置まで突出している。そして、ベース材２１は、一対の突片２１Ｃ，２１Ｄの間で、後述する取付ピン１３を嵌合する溝状のピン保持部２１Ｅを形成している。
【００２１】
押え材２２は、その断面において、取付材２の中心線に対して、ベース材２１の張出部２１Ｂと対称的に配置されて見付け面を形成する基板部２２Ａを有し、基板部２２Ａのベース材２１側の面において、壁側から順に、延出部２２Ｂ、ピン規制部２２Ｃ、内側突片２２Ｄ及び端部突片２２Ｆを有している。
【００２２】
延出部２２Ｂは、ベース材２１の壁側の突片２１Ｃよりも壁側に位置し、その先端部が、ベース材２１との間で防煙シートＳの端部を挟持するシート挟持部２２Ｅになっていると共に、シート挟持部２２Ｅの壁側には、壁方向に突出してベース材２１の基板部２１Ａに達する連結片２２Ｇが連続的に設けてある。
【００２３】
ピン規制部２２Ｃは、ベース材２１の一対の突片２１Ｃ，２１Ｄの間に位置する突部であり、ピン保持部２１Ｅに嵌合した取付ピン１３の端部に対向して、取付ピン１３の離脱を阻止するものである。このピン規制部１２Ｃは、取付ピン１３の離脱を阻止し得るものであれば良いので、突部以外のものでも良い。
【００２４】
内側突片２２Ｄは、ベース材２１の一対の突片２１Ｃ，２１Ｄよりも反壁側に位置し、壁側取付材２の中心線近くの位置まで突出している。端部突片２２Ｆは、ベース材２１の端部突片２１Ｆに対応し、壁側取付材２の中心線近くの位置まで突出している。この内側突片２２Ｄは、壁側取付材２内において、防煙シートＳの押え材２２側への撓みを防止し、壁側取付材２から防煙シートＳを真っ直ぐに延出させる機能がある。
【００２５】
防煙垂れ壁は、上記の天井側取付材１及び壁側取付材２を用いて防煙シートＳを保持するに際し、図４に示すように、防煙シートＳの上辺に沿って所定間隔で取付穴Ｈを形成し、また、図１（Ａ）に示すように、防煙シートＳの竪辺に沿って同様の取付穴Ｈを形成し、図１〜図３に示すように、各取付穴Ｈに取付ピン１３を貫通させる。取付ピン１３は、難燃性・不燃性を有する部材であって、例えば、樹脂製や金属製であり、図示例の円柱形のほか、角柱形などの適宜の形状にすることができる。
【００２６】
そして、防煙垂れ壁は、天井側取付材１では、図２（Ａ）に示すように、建物躯体Ａの天井に、ベース材１１の基板部１１Ａをねじ５１により固定し、壁側取付材２では、図３（Ａ）に示すように、建物躯体Ａの壁に、ベース材２１の基板部２１Ａをねじ５２により固定する。
【００２７】
次に、防煙垂れ壁は、天井側取付材１では、図２（Ｂ）に示すように、ピン保持部１１Ｅに取付ピン１３を嵌合し、壁側取付材２では、図３（Ｂ）に示すように、ピン保持部２１Ｅに取付ピン１３を嵌合する。これにより、防煙垂れ壁は、防煙シートＳを仮止めしておくことができる。
【００２８】
その後、防煙垂れ壁は、天井側取付材１では、図２（Ｃ）に示すように、ベース材１１に押え材１２を組み付け、延出部１２Ｂにより防煙シートＳの上端部を折り曲げて、同端部をベース材１１と押え材１２のシート挟持部１２Ｅとの間で挟持する。そして、天井側取付材１では、ベース材１１の傾斜部１１Ｂに貫通させたねじ５３を押え材１２のタッピング溝１２Ｆにねじ込むことで、ベース材１１に押え材１２を固定する。
【００２９】
他方、壁側取付材２では、図３（Ｃ）に示すように、ベース材２１に押え材２２を組み付け、延出部２２Ｂにより防煙シートＳの竪端部を折り曲げる。なお、図示例では、防煙シートＳの竪端部を折り曲げただけであるが、天井側取付材１と同様に、防煙シートＳの竪端部をベース材２１と押え材２２のシート挟持部２２Ｅとの間で挟持しても良い。また、防煙シートＳは、上記の如く上辺と竪辺が折り曲げられるので、角部分を予め切除しておくとより良い。そして、壁側取付材２は、ベース材２１の張出部２１Ｂに貫通させたねじ５４を、押え材２２の連結片２２Ｇに予め形成したねじ穴に螺着することで、ベース材２１に押え材２２を固定する。
【００３０】
上記実施形態で説明した防煙垂れ壁は、取付材１（２）と、防煙シートＳと、取付ピン１３を基本構成とし、しかも、防煙垂れ壁の取付材１（２）は、ベース材１１（２１）及び押え材１２（２２）の二部材で構成したので、防煙シートＳを確実に保持する本来の機能を確保しつつ部品点数を大幅に削減することができ、製造コストの低減や施工性の向上を図ることができる。
【００３１】
また、上記の防煙垂れ壁は、垂れ壁として樹脂製の防煙シートＳを用いているので、ガラス板を用いたものに比べて、垂れ壁が非常に軽量であり、ベース材１１（２１）及び押え材１２（２２）と取付ピン１３とによって、垂れ壁を確実に保持することができるうえに、割れて落下するような心配も全く無い。
【００３２】
さらに、防煙垂れ壁及び取付材１は、建物躯体Ａである天井にベース材１１を固定した後、ベース材１１のピン保持部１１Ｅに、防煙シートＳに貫通させた取付ピン１３を嵌合するだけで、防煙シートＳを一時的に仮止めしておくことができ、施工性のさらなる向上を実現する。
【００３３】
さらに、上記実施形態の防煙垂れ壁及び取付材１，２は、ベース材１１，２１において、一対の突片１１Ｃ，１１Ｄ，２１Ｃ，２１Ｄにより溝状のピン保持部１１Ｅ，２１Ｅを形成しているので、ベース材１１，２１の長手方向におけるどの位置でも取付ピン１３を嵌合することが可能であり、取付穴Ｈ及び取付ピン１３の数や配置を自由に設定することができ、これらの位置決めや修正にも容易に対処することができる。
【００３４】
さらに、上記実施形態の防煙垂れ壁は、パンチ等の工具を用いて防煙シートＳに簡単に取付穴Ｈを形成することができる。そのため、天井側取付材１の高さ方向や、壁側取付材２の内外方向に防煙シートＳの位置調整を行う場合に、取付穴Ｈの位置を調整したり追加の取付穴Ｈを形成したりすることが容易である。
【００３５】
さらに、防煙垂れ壁及び取付材１は、ベース材１１に押え材１２を固定した際に、ベース材１１と押え材１２のシート挟持部１２Ｅとの間で防煙シートＳの端部を挟持することができるので、防煙シートＳの取付ピン１３間の部分の撓みを防止して、良好な外観体裁を得ることができる。
【００３６】
さらに、防煙垂れ壁及び取付材１，２は、ベース材１１，２１に押え材１２，２２を固定する際に、押え材１２，２２の延出部１２Ｂ，２２Ｂで防煙シートＳの上端部や竪端部を折り曲げた状態にする。このように、防煙シートＳの上端部や竪端部を折り曲げることによっても、取付ピン１３間の防煙シートＳの撓みを防止することが可能である。なお、防煙シートＳの折り曲げと、シート挟持部１２Ｅによる防煙シートＳの挟持の両方を行えば、取付ピン１３間の防煙シートＳの撓みをより確実に防止し得る。
【００３７】
さらに、上記実施形態の天井側取付材１は、傾斜部１１Ｂを有するベース材１１を採用し、傾斜部１１Ｂに挿通するねじ５３を斜め下方から止着する構造にしているので、天井とねじ止めの位置との距離が小さくても作業空間を確保することができ、水平方向からねじ止めを行う場合に比べて見付け寸法を小さくすることができる。
【００３８】
さらに、上記実施形態の取付材１，２は、ベース材１１，２１の外側（押え材の反対側）から設けたねじ５３，５４を、 押え材１２，２２のタッピング溝１２Ｆや連結片２２Ｇに螺着するので、ベース材１１，２１に対して押え材１２，２２が引き寄せられるように固定されることとなり、これらの部材と防煙シートＳとのクリアランスを小さく若しくは無くすことができる。
【００３９】
図５は、本発明の防煙垂れ壁及び防煙垂れ壁の取付材の他の実施形態を説明する図である。なお、先の実施形態と同一の構成部位は、同一符号を付して詳細な説明を省略する。
【００４０】
図示例の天井側取付材１は、先の実施形態と同様の基本構成を有するもので、押え材１２が、先の実施形態で示したタッピング溝（１２Ｆ）に代えて、延出部１２Ｂの先端に、シート挟持部１２Ｅと、連結片１２Ｈと、立上り片１２Ｇを連続的に有している。このため、ベース材１１に押え材１２を固定する際には、ベース材１１の傾斜部１２Ｂに貫通させたねじ５３を、押え材１２の連結片１２Ｈに予め形成したねじ穴に螺着する。このような天井側取付材１及びこれを用いた防煙垂れ壁にあっても、先の実施形態と同様の作用及び効果を得ることができる。
【００４１】
本発明に係わる防煙垂れ壁及び防煙垂れ壁の取付材は、その構成が上記各実施形態のみに限定されるものではなく、本発明の要旨を逸脱しない範囲で構成の細部を適宜変更することが可能である。
【符号の説明】
【００４２】
Ａ  建物躯体
Ｈ  取付穴
Ｓ  防煙シート
１  天井側取付材
２  壁側取付材
１１，２１  ベース材
１２，２２  押え材
１１Ｅ，２１Ｅ  ピン保持部
１２Ｃ，２２Ｃ  ピン規制部
１３  取付ピン
【図１】
2015051087.tif 000003
【図２】
2015051087.tif 000004
【図３】
2015051087.tif 000005
【図４】
2015051087.tif 000006
【図５】
2015051087.tif 000007